(57)【要約】【課題】  室内の仕切り等に使用されるパーティションであって、透光性にすぐれ、しかも装飾用等の物品を飾り付けることのできるパーティションを提供する。【解決手段】  ２枚のガラス板と、該２枚のガラス板を互いに所定の間隔をおいて立てた状態で支持する脚部からなる。上記２枚のガラス板の間隔部に装飾用の物品を吊り下げて保持すると、透明なガラス部分を通して、これを見ることができる。２枚のガラスの間隔部を照らすライトを設けておけばより効果的である。【選択図】  図４
2006002398.tif 000002
【特許請求の範囲】
【請求項１】
２枚のガラス板を互いに所定間隔をおいて立てた状態で固定支持してなるパーティション。
【請求項２】
２枚のガラス板と、当該２枚のガラス板を所定間隔をおいて支持する脚部とを備え、前記２枚のガラス板の間隔部上部には、物品吊り下げ用のフレームが設けられている請求項１に記載のパーティション。
【請求項３】
２枚のガラス板の間隔部下部に照明用のランプが設けられている請求項１又は２に記載のパーティション。
【請求項４】
ガラス板の板面に合成樹脂フィルムが貼り付けられている請求項１ないし３のいずれかに記載のパーティション。
【発明の詳細な説明】
【技術分野】
【０００１】
本発明は室内の仕切り等に使用されるパーティションに関するものである。
【背景技術】
【０００２】
室内の仕切りに使用されるパーティションとして古くから使用されてきたものは、衝立、屏風等である。一方、最近広く使用されているパーティションとしては、金属フレームでガラス板を支持したものがある。この種のパーティションには種種のものがあり、なかには視覚的のみならず、音響的なプライバシーがまもれるようにしたものもある(特許文献参照)。
【０００３】
【特許文献１】特開平５−００５３３４号公報
【発明の開示】
【発明が解決しようとする課題】
【０００４】
室内を仕切るパーティションとしては、単に仕切りとしての機能だけではなく、室内の装飾機能を有するものが好ましい。上記衝立の場合は、板面に彫刻を施したものや絵を描いたものがあり、屏風の場合は、絵を描いたものがあって、装飾性に富んでいるものが多かったが、金属フレームでガラス板を支持したものは、直接絵を描いたり，彫刻を施すことが困難であるから、装飾用には使用されていなかった。また、上記衝立や屏風の場合は、表示されている絵や彫刻を取り替えることが出来ないので、飽きやすかった。さらに、ガラス板以外のものは、仕切り板に透光性がないので、仕切った部屋が暗くなるという問題点があった。
【０００５】
そこで本発明は、透光性に優れながら、任意の装飾を施す事のできるパーティションを提供することを課題としている。
【課題を解決するための手段】
【０００６】
上記課題を解決するため、本発明は次のような構成とした。即ち、本発明に係るパーティションは、２枚のガラス板を互いに所定間隔をおいて立てた状態で固定支持したことを特徴としている。
【発明の効果】
【０００７】
本発明に係るパーティションは、仕切り板がガラス板でできているので、透光性にすぐれている。また、仕切り板が、間隔をおいて対向する２枚のガラス板で構成されるので、２枚のガラス板の間隔部に種々の物品を配置することができ、適宜それを交換することができる。このため、装飾性にすぐれている。
【０００８】
具体的には、２枚のガラス板の下部を脚部で支持し、上部間隔部には物品吊り下げ用のフレームをガラス板に沿わせて設けたものが好ましい。なお、割れたときの飛散防止のため、ガラス板の板面に透明ないしは半透明の合成樹脂フィルムを貼り付けておくのが好ましい。フィルムとして半透明のものを使用すれば、透光性を維持しながら、プライバシーを守ることが出来る。この場合において、半透明のフィルムの適所を切り抜いて、窓を形成しておくことにより、ガラス板の間隔部に保持した物品が外から見えるようにすることができる。
【発明を実施するための最良の形態】
【０００９】
以下、図面に表された本発明の実施形態について具体的に説明する。図は本発明の１実施形態を表すもので、このパーティション１は、垂直に立てた２枚のガラス板２，２を仕切り板として備えている。２枚のガラス板２，２は、互いに所定の間隔をおいて対向するように、脚部３によって支持されている。ガラス板２の板面（内面又は外面）には、破損した場合のガラス片の飛散を防止するための合成樹脂フィルム（カッティングシート）が貼り付けられている。このフィルムとして半透明フィルムを使用すれば、好みの個所を半透明として、プライバシーが守れるようにすることができる。
【００１０】
脚部３は、金属板のベース５と該ベースから直立する一対の縦板６，６と、これら縦板の間にはさまれた木製スペーサ７からなる。脚部３は、パーティション１の幅方向において、両端部と中央部の３箇所に配置されている。上記ガラス板２，２の下端部はこれら脚部３のベース５上に載置されていて、脚部と脚部の間隔部８は、湾曲状に上側に切り込まれている。なお、ガラス板２，２は、ピン９によって脚部３に固定されている。
【００１１】
ガラス板２，２の上部は、前記脚部３のピン９の直上部において、３本のピン１０によって互いに固定されている。この固定部には、ガラス板の板面に沿うフレーム１２が設けられ、ピン１０に固定されている。
【００１２】
フレーム１２は透明プラスチックのパイプからなり、前記ピン９，１０は、金属（図示例では黄銅にクロムめっきしたもの）で作られている。なお、フレーム１２のピン１０への固定は、螺子等を利用してもよく、透明な樹脂製糸等の紐体で結び付けてもよい。
【００１３】
パーティション１の下部に設けられている前記脚部のスペーサ５の上側には透明板１４が取り付けられ、その下側に照明用の蛍光灯ランプ１５が取り付けられている。
【００１４】
前記フレーム１２の適所には、金属棒で作られた複数の吊具１７が取り付けられている。
この吊具１７は装飾用の物品を吊り下げるためのもので、下部がフック１７ａとなっており、上部は前記フレーム１２に係合する係合部１７ｂとなっている。この吊具１７は、適当な位置に適当な本数だけ取り付けて使用する。
【００１５】
このパーティション１の使用に際しては、装飾用や展示用の物品２０を上記吊具１７のフックに吊り下げて保持する。この吊り下げには、例えば透明な釣糸等を使用すればよい。吊り下げる物品２０としては、例えば花を生けた花瓶、彫刻、展示用の模型、小型水槽等種種のものがある。これら物品は、吊具で吊り下げて保持するので、任意の位置及び高さに配置することができる。また、いつでも簡単に取り外したり、取り替えたりすることができるので、飽きがこない。
【００１６】
なお、上記フィルムとして半透明なフィルムを用い、所望の個所を切りぬくことにより、他の部分は半透明で、所望の個所に内部の物品を見ることの出来る窓を形成することがで
きる。さらに、このフィルム自体に色彩や模様を施すことも出来る。
【産業上の利用可能性】
【００１７】
このパーティションは、室内の適所に配置して、当該室内の仕切りに使用することが出来る。基本的構造は、２枚のガラス板を互いに間隔をおいて立てたものであるから、製作も容易である。しかも２枚のガラス板の間に装飾用、展示用等の物品を取り付けることができるので、用途は広い。
【図面の簡単な説明】
【００１８】
【図１】パーティションの正面図である。
【図２】その側面図である。
【図３】脚部の側面図である。
【図４】使用状態を表す正面図である。
【符号の説明】
【００１９】
１        パーティション
２        ガラス板
３        脚部
８        間隔部
１２      フレーム
２０      物品
【図１】
2006002398.tif 000003
【図２】
2006002398.tif 000004
【図３】
2006002398.tif 000005
【図４】
2006002398.tif 000006